(57)【特許請求の範囲】
【請求項１】
扁平糸を巻いた巻玉の駆動手段と、該巻玉から巻き戻された扁平糸の入口部と、扁平糸のＵ状の最下点を検出する一つの光検出器を有する貯留部と、該貯留部の扁平糸を無杼織機の給糸部へ送り出す出口部とを備えてなり、前記出口部に、扁平糸を支持する支持具と、該支持具上の扁平糸をバネ材の弾力により押えるバネ板と、該バネ板の弾性変形を受けて作動するスイッチ手段とを備えたことを特徴とする扁平糸の緯入装置
【発明の詳細な説明】
【０００１】
【発明の属する技術の分野】
本発明は、扁平糸を撚りを生じさせないで無杼織機の給糸部に供給して緯入できるようにした扁平糸の緯入装置に関するものである。
【０００２】
【従来の技術】
従来、この種の緯入装置として、本発明者が先に提案したものがある。これは多数本（３０００〜１２０００本）の炭素繊維を扁平に引き揃えてなる扁平糸を繊維束がバラけないように扱うことのできるものである。
【０００３】
上記従来の緯入装置は、図６の如く、扁平糸６１を巻いた巻玉６１′の駆動手段６２と、無杼織機６３の給糸部（図示せず）との間に設置され、該巻玉から巻き戻された扁平糸の入口部６４と、該入口部６４から入った扁平糸６１をＵ状に貯留する貯留部６５と、該貯留部６５の扁平糸を無杼織機の給糸部へ送り出す出口部６６とを備えている。
【０００４】
前記貯留部６５は背面板と透明な前面板との狭い間隙になっており、下端部に設けた空気吸引器６７の作用により上面から空気を引き込んで下向きの気流を作り、これに乗せて巻玉からガイド６８を経て入口部６４より入った扁平糸６１をＵ状に貯留できるようになっている。この入口部６４には前記駆動手段６２により駆動される巻玉６１′の周速度より早い周速度で回転するローラ６９があり、扁平糸６１のＵ状の貯留を促進し易くしている。また、前記出口部６６には弾圧部７０が設けられ、無杼織機の給糸部の引き或いは停止に際して扁平糸６１が惰性で出過ぎたり弛んだりしないようにしている。
【０００５】
上記の緯入装置は、上述の如き構成にし、扁平糸（緯糸）の貯留部６５への導入を空気吸引器６７の作用に加えてローラ６９の回転力で補うことから炭素繊維の多数本を引き揃えてなる扁平糸でも、これをバラけさせることなく緯入できるようになった点に大きな特徴を有していた。
【０００６】
しかして、上記の緯入装置は、貯留部６５内の扁平糸を検出する光検出器７１が４段設けられていた。その４段のうち、中間の２つの光検出器７１ａ、７１ｂの間に前記扁平糸のＵ端６１ａがあるときを正常とし、上光検出器７１ａがＵ端６１ａを検出したときは巻玉の駆動手段６２を「速度アップ」させ、下光検出器７１ｂがＵ端６１ａを検出したときは同駆動手段６２を「速度ダウン」させるように構成されていた。
【０００７】
また、４段の光検出器７１のうち、外側の２つの光検出器７１ａ′、７１ｂ′がＵ端６１ａを検出したとき、即ち、外側上の光検出器７１ａ′がＵ端６１ａを検出したときは、巻玉の駆動手段６２の再加速させ、外側下の光検出器７１ｂ′がＵ端６１ａを検出したときは、安全性を確保するために巻玉の駆動手段６２及び無杼織機６３を緊急停止させるように構成されていた。
【０００８】
上記４つの光検出器７１はそれぞれ発光部と受光部とからなり、発光部からの光を扁平糸６１のＵ端６１ａが遮ると受光部から検出信号が出力され、これがデジタル変換されて制御部に入力される。該制御部の指令により前記駆動手段６２の駆動や無杼織機の制御が行えるようになっていた。
【０００９】
【発明が解決しようとする課題】
しかしながら、上記４つの光検出器７１は、それぞれ特有のデジタル変換値を予め特定しておくことにより、制御部ではどの光検出器からの信号かを判断して必要な制御を各部に指令するようになっていたが、各光検出器の受光部の感度は常に一定ではなく、前面ガラスにゴミやホコリが付着したり、湿気が付着するなどの環境変化によって変化することから、扁平糸６１のＵ端６１ａに反応したりしなかったりする障害が生じた。勿論、感度を常に良好に保つため、受光部の前面ガラスを常時清掃するか、デジタル変換値を環境変化に合わせて常時最適な値に変更すれば良いが、極めて面倒であった。
【００１０】
また、受光部の感度は良好であっても、扁平糸の種類（例えば、プラスチックのリボン状フィルム）によっては静電気のため、ハウジング内の背面板に扁平に密着して仕舞うことから、扁平糸を検知しても設定した値に達せず、誤作動の原因になることもあった。
【００１１】
本発明は、上記の問題点を解消するためのもので、その目的とするところは、受光部の感度に影響されることなく、常に、正確に扁平糸を認識できるようにした扁平糸の緯入装置を提供することにある。
【００１２】
【課題を解決するための手段】
上記目的を達成するため、本発明は、扁平糸を巻いた巻玉の駆動手段と、該巻玉から巻き戻された扁平糸の入口部と、扁平糸のＵ状の最下点を検出する一つの光検出器を有する貯留部と、該貯留部の扁平糸を無杼織機の給糸部へ送り出す出口部とを備えてなり、前記出口部に、扁平糸を支持する支持具と、該支持具上の扁平糸をバネ材の弾力により押えるバネ板と、該バネ板の弾性変形を受けて作動するスイッチ手段とを備えたことを特徴とし扁平糸のＵ状の最下点を一つの光検出器でみて信号を明確化し、かつ、扁平糸を無杼織機に向けて送り出すときに、同時に、糸長と巻玉の回転数が計測できるように構成した。
【００１５】
【発明の実施の態様】
次に、本発明の実施の態様を添付図面に基づいて説明する。図１は本願装置の全体を示す正面図、図２は貯留部の背面板と前面板との間隙の調整手段を示す斜視図、図３は緯糸（扁平糸）の測長するときの説明図、図４は無杼織機の主軸を示す説明図、図５は光検出器のＵ端の検知状態を示す説明図である。
【００１６】
本願装置１は扁平糸２を巻いた巻玉３の駆動手段４と、無杼織機（破線）５の給糸部（図示せず）との間に設置され、前記巻玉３から巻き戻された扁平糸２の入口部６と、該入口部６から入った扁平糸をＵ状に貯留する貯留部７と、該貯留部７内の扁平糸を前記無杼織機５の給糸部へ送り出す出口部８とを備えてなるものである。なお、無杼織機５とはレピア、エアジェット、ウォータージェットなどシャットル（杼）を使用しない織機をいう。
【００１７】
前記駆動手段４はサーボモータが搭載され、巻玉３の回転速度を制御部（図示せず）の指令により任意に調整できるとともに、巻玉３を巻き戻す方向（正転）又は巻き込む方向（逆転）に切換えできるようになっている。４ａは巻玉３から軸方向に綾振り状にほぐれる扁平糸２の往復幅を規制するガイドで、巻玉３の軸方向両端にアーチ状に立設している。なお、扁平糸２として対象となるものは特に問わないが、炭素繊維の多数本を扁平に引き揃えたものでも、リボン状のプラスチックフィルムでもその他でもよい。
【００１８】
前記貯留部７は、図２の如く、背面板７ａと、透明な前面板７ｂとで狭い間隙７ｃが作られている。この間隙７ｃは上面を除く周囲が側枠７ｄにより塞がれ、上面が空気取り入れ口として開放されている。前記前面板７ｂはアングル７ｅを介して側枠７ｄにネジ７ｆにより止められている。このネジ７ｆによる止め部は前後方向の長穴７ｇになっており、側枠７ｄの正面側に設けた透孔７ｈよりジグ７ｉを差し込むことにより前記間隙７ｃが扁平糸２の糸幅２ａに合わせて例えば３ｍｍ〜１３ｍｍの範囲で広狭変更可能になっている。
【００１９】
前記貯留部７の下部には空気吸引器９が設けられている。該空気吸引器９はブロワー（図示せず）の起動により作動し、貯留部７の上面より空気を引き込んで排気できるようになっている。排気は濾過器（図示せず）を介して空中に開放される。従って、貯留部７の狭い間隙７ｃ内には上から下へと気流ができ、これに乗って入口部６と出口部８との間において扁平糸２がＵ状に貯留されることとなる。
【００２０】
前記入口部６には前記駆動手段４により駆動される巻玉３の周速度より早い周速度で回転するローラ６ａが設置され、扁平糸２を吸引する空気吸引器９の吸引力を補っている。また、入口部６の直前には前記ローラ６ａに扁平糸２を正しく導くための幅ガイド６ｂが設置されている。
【００２１】
前記出口部８には扁平糸２の裏面側を摺動可能に支持する支持具８ａと、該支持具８ａに摺接する扁平糸２の表面側をバネ材８ｂの弾力により軽く押えるバネ板８ｃとを備えている。これは無杼織機の給糸部の引き或いは停止に際して扁平糸２が惰性で出過ぎたり弛んだりしないするためのものである。しかして、バネ板８ｃの裏面側の近接位置にはバネ板８ｃが変形したときに作動するスイッチ手段１０が設けられている。該スイッチ手段１０は前記巻玉３の駆動手段４を逆転から正転に切換えるためのものである。
【００２２】
前記貯留部７の適所（織機の１回の引きに対応できる貯留量が確保できる位置である）には、扁平糸２を検出する単一の光検出器１１が設けられている。該光検出器１１は発光部１１ａと受光部１１ｂとからなり、発光部１１ａからの光線が扁平糸２により遮られているか否かを受光部１１ｂで検出し、その検出信号を受領した制御部（図示せず）が前記駆動手段４に対して「速度アップ」又は「速度ダウン」の指令を出すようになっている。
【００２３】
前記光検出器１１は、前記出口部８に設けたバネ板８ｃに近接位置に設置したスイッチ手段１０と相まってスタート当初の巻玉３の外径の測長のために使用される。即ち、スタート時（或いは巻玉３を交換して再スタート時）には前記駆動手段４は、図３の如く、巻玉３を逆転（矢印イ方向）に駆動させる。これにより前記入口部６と出口部８との間において扁平糸２がピーンと張る（Ａ点）と、バネ板８ｃが変形してスイッチ手段１０が作動し、前記駆動手段４を正転（矢印ロ方向）に切換え、扁平糸２がＵ状に下降し、その最下点（Ｂ点）を光検出器１１が検知するが、このＡ点からＢ点までの糸長と巻玉３の回転数が計測できると巻玉の外径が計算でき、これに無杼織機５の織幅及び主軸の回転速度を当てはめれば、スタート時における駆動手段４の回転速度が決定できることとなる。
【００２４】
また、前記無杼織機５は主軸５ａに、図４の如く、円盤５ｂを固着し、該円盤５ｂのＰ点を織機の引き始め点とし、Ｐ′点を引き終わり点として検出器５ｃで検出できるようにし、該検出器５ｃで検出した円盤５ｂのＰ点と、前記光検出器１１のＢ点とを一致させることにより無杼織機と本願装置とを同期させることができる。
【００２５】
前記光検出器１１は、前記貯留部７の適所に設けた１個だけで扁平糸２を検出するので、図６に示した従来装置の如く複数（４個）設置した場合と異なり、織機の１サイクル中に必ず光検出器１１に糸が無い状態が作れる。つまり、織機による緯糸（扁平糸）の引き終わりのときには必ず光検出器１１にて検出されている糸が無い状態になる。換言すれば、光検出器１１の検出領域に糸がある事はない（正常時の場合）。従って、糸の無い状態（値）を制御部（コンピュータ）に取り込み、この値に対して光検出器１１の検出領域内に糸が入ってきたときの値と比較すれば、光検出器１１は安定した作動を保つことができる。
【００２６】
即ち、ゴミやホコリの付着や湿気の付着などの環境変化によって光検出器自体の感度が変わったとしても、その変わった現実の値を基準にして扁平糸を検知するため、従来装置の如く、受光部の前面ガラスを常時清掃しなければならなかったり、デジタル変換値を環境変化に合わせて常時正しい値に変更するような面倒な作業が不要となる。前面ガラスの清掃は余程汚れたと思えるときに行えば足りる。
【００２７】
また、前記光検出器１１は、織機の１サイクル毎に制御部を介して、図５の如く、例えば▲１▼〜▲７▼の如く作動する。即ち、▲１▼は扁平糸２を検知していない状態であり、織機の引きより遅いとして駆動手段４の速度アップを指令する。▲２▼は次のサイクルで駆動手段４の速度アップの結果、扁平糸２を検知した状態である。▲３▼は次のサイクルでも扁平糸２を依然として検出している状態であり、駆動手段４に減速を指令する。▲４▼はさらに次のサイクルになっても扁平糸２を検出している状態であり、続けて駆動手段４に減速を指令する。▲５▼▲６▼は減速の結果が出た状態である。▲７▼は駆動手段４の減速の結果、扁平糸２のＵ端２′を検知した状態である。つまり、▲２▼〜▲７▼の間の平均速度が織機の速度となる。
【００２８】
【発明の効果】
以上の如く、本発明に係る扁平糸の緯入装置は、扁平糸を巻いた巻玉の駆動手段と、該巻玉から巻き戻された扁平糸の入口部と、扁平糸のＵ状の最下点を検出する一つの光検出器を有する貯留部と、該貯留部の扁平糸を無杼織機の給糸部へ送り出す出口部とを備えてなり、前記出口部に、扁平糸を支持する支持具と、該支持具上の扁平糸をバネ材の弾力により押えるバネ板と、該バネ板の弾性変形を受けて作動するスイッチ手段とを備えたことを特徴としているから、扁平糸のＵ状の最下点を一つの光検出器でみれるので、複数の光検出器でみるより信号が明確化し、特に、前面ガラスにゴミやホコリが付着したり、湿気が付着するなどの環境変化に影響されず、正確な検出ができる。また、入口部と出口部との間に扁平糸がピーンと張られた位置ではバネ板の弾性変形により出口部のスイッチ手段が作動して巻玉の駆動手段を正転させ、扁平糸が貯留部内にてＵ状に貯留され、その最下点を一つの光検出器が検出すると、出口部において扁平糸を無杼織機に向けて送り出すときに、同時に、糸長と巻玉の回転数が計測でき、これを無杼織機の織幅及び主軸の回転速度に当てはめれば、スタート時における駆動手段の回転速度が決定できるなど各種の優れた効果を奏するものである。
【図面の簡単な説明】
【図１】本願装置の全体を示す正面図である。
【図２】本願装置における貯留部の背面板と前面板との間隙の調整手段を示す斜視図である。
【図３】本願装置により緯糸（扁平糸）の測長するときの説明図である。
【図４】無杼織機の主軸を示す説明図である。
【図５】本願装置における光検出器のＵ端の検知状態を示す説明図である。
【図６】従来装置の説明図である。
【符号の説明】
１  本願装置
２  扁平糸
２ａ  糸幅
２′  Ｕ端
３  巻玉
４  駆動手段
４ａ  ガイド
５  無杼織機
５ａ  主軸
５ｂ  円盤
５ｃ  検出器
６  入口部
６ａ  ローラ
６ｂ  幅ガイド
７  貯留部
７ａ  背面板
７ｂ  透明な前面板
７ｃ  間隙
７ｄ  側枠
７ｅ  アングル
７ｆ  ネジ
７ｇ  長穴
７ｈ  透孔
７ｉ  ジグ
８  出口部
８ａ  支持具
８ｂ  バネ材
８ｃ  バネ板
９  空気吸引器
１０  スイッチ手段
１１  光検出器
１１ａ  発光部
１１ｂ  受光部
Ａ  扁平糸がピーンと張った点
Ｂ  扁平糸の最下降点
Ｐ  引き始め点
Ｐ′  引き終わり点
【図１】
0004414060.tif 000002
【図２】
0004414060.tif 000003
【図３】
0004414060.tif 000004
【図４】
0004414060.tif 000005
【図５】
0004414060.tif 000006
【図６】
0004414060.tif 000007